(57)【要約】【解決すべき課題】番組制作にかかる時間と労力とを軽減し、大量の番組を制作可能とする技術を提供することにある。【課題を解決するための手段】コンテンツ提供者の端末１に格納されているメタデータ３を放送局４の検索エンジン４２が収集する。マッチングエージェント４４は、収集したメタデータの中から番組シナリオの内容に適したメタデータを検索する。そして、このメタデータに対応する端末識別情報に基づいて、端末１からコンテンツをダウンロードして番組データ記憶部４６に格納し、番組制作を行なう。【選択図】  図１
2004343557.tif 000002
【特許請求の範囲】
【請求項１】
番組自動制作システムであって、
番組制作部と、前記番組制作部とネットワークを介して接続された複数の端末とを有し、
複数の端末の各々は、
コンテンツ提供者が提供するコンテンツのコンテンツデータと、前記コンテンツの内容を特定するのに必要な情報を含むメタデータとが記憶された記憶手段と、
前記番組制作部とデータの送受信を行なう送受信手段と
を有し、
前記番組制作部は、
各端末の記憶部に記憶されているメタデータを収集する収集手段と、
前記収集部で収集したメタデータと、その収集先の端末を識別する端末識別情報とが蓄積される蓄積手段と、
番組のシナリオが記述された番組シナリオが記憶された記憶手段と、
前記番組シナリオの内容に適するメタデータを前記蓄積手段から検索し、そのメタデータに対応する端末識別情報に基づいて、その端末からコンテンツデータをダウンロードして番組を制作する番組制作手段と
を有することを特徴とする自動番組制作システム。
【請求項２】
番組制作部は、コンテンツデータの内容を考査する考査手段を有し、考査されたコンテンツデータにより、番組を制作することを特徴とする請求項１に記載の自動番組制作システム。
【請求項３】
番組制作手段は、
コンテンツデータが格納される記憶手段と、
前記番組シナリオの内容に適するメタデータを前記蓄積手段から検索し、そのメタデータに対応する端末識別情報に基づいて、その端末からコンテンツデータをダウンロードして前記記憶手段に格納し、そのコンテンツの格納場所を、前記番組シナリオに記述する手段と
を有することを特徴とする請求項１又は請求項２に記載の自動番組制作システム。
【請求項４】
番組自動放送システムであって、
番組放送部と、前記番組放送部とネットワークを介して接続された複数の端末とを有し、
複数の端末の各々は、
コンテンツ提供者が提供するコンテンツのコンテンツデータと、前記コンテンツの内容を特定するのに必要な情報を含むメタデータとが記憶された記憶手段と、
前記番組制作部とデータの送受信を行なう送受信手段と
を有し、
前記番組放送部は、
各端末の記憶部に記憶されているメタデータを収集する収集手段と、
前記収集部で収集したメタデータと、その収集先の端末を識別する端末識別情報とが蓄積される蓄積手段と、
番組のシナリオが記述された番組シナリオが記憶された記憶手段と、
番組シナリオの内容に適したメタデータを前記蓄積手段から検索し、そのメタデータに対応する端末識別情報に基づいて、端末からコンテンツデータをダウンロードし、このコンテンツデータのコンテンツを番組として放送する番組放送手段と
を有することを特徴とする自動番組放送システム。
【請求項５】
番組放送部は、コンテンツデータの内容を考査する考査手段を有し、考査されたコンテンツデータを放送することを特徴とする請求項４に記載の自動番組放送システム。
【請求項６】
番組放送手段は、
前記番組シナリオの内容に適するメタデータを前記蓄積手段から検索し、そのメタデータに対応する端末識別情報を、前記番組シナリオに記述する手段と、
前記番組シナリオに記載された端末識別情報に基づいて、その端末からコンテンツデータをダウンロードし、このダウンロードしたコンテンツを放送する手段と
を有することを特徴とする請求項４又は請求項５に記載の自動放送システム。
【請求項７】
番組制作サーバであって、
コンテンツの内容を特定するのに必要な情報を含むメタデータと、このメタデータの格納先とが蓄積される蓄積手段と、
ネットワークで接続された端末に格納されているメタデータを収集し、この収集したメタデータとその端末を識別する端末識別情報とを前記蓄積手段に蓄積する収集手段と、
番組のシナリオが記述された番組シナリオが記憶された記憶手段と、
番組シナリオの内容に適したメタデータを前記蓄積手段から検索し、そのメタデータに対応する端末識別情報に基づいて、その端末からコンテンツデータをダウンロードして番組を制作する番組制作手段と
を有することを特徴とする番組制作サーバ。
【請求項８】
コンテンツデータの内容を考査する考査手段を更に有し、考査されたコンテンツデータにより、番組を制作することを特徴とする請求項７に記載の番組制作サーバ。
【請求項９】
前記番組制作手段は、
コンテンツデータが格納される記憶手段と、
前記番組シナリオの内容に適するメタデータを前記蓄積手段から検索し、そのメタデータに対応する端末識別情報に基づいて、その端末からコンテンツデータをダウンロードして前記記憶手段に格納し、そのコンテンツの格納場所を前記番組シナリオに記述する手段と
を有することを特徴とする請求項７又は請求項８に記載の番組制作サーバ。
【請求項１０】
番組放送サーバであって、
コンテンツの内容を特定するのに必要な情報を含むメタデータと、このメタデータの格納先とが蓄積される記憶手段と、
ネットワークで接続された端末に格納されているメタデータを収集し、この収集したメタデータとその格納先の端末を識別する端末識別情報とを前記蓄積手段に蓄積する収集手段と、
番組のシナリオが記述された番組シナリオが記憶された記憶手段と、
番組シナリオの内容に合致したメタデータを前記蓄積手段から検索し、そのメタデータに対応する端末識別情報に基づいて、その端末からコンテンツデータをダウンロードし、このコンテンツデータのコンテンツを番組として放送する番組放送手段と
を有することを特徴とする番組放送サーバ。
【請求項１１】
コンテンツデータの内容を考査し、不適切な部分を除去する考査手段を有し、考査されたコンテンツデータを放送することを特徴とする請求項１０に記載の番組放送サーバ。
【請求項１２】
番組放送手段は、
前記番組シナリオの内容に適するメタデータを前記蓄積手段から検索し、そのメタデータに対応する端末識別情報を、前記番組シナリオに記述する手段と、
前記番組シナリオに記載された端末識別情報に基づいて、その端末からコンテンツデータをダウンロードし、このダウンロードしたコンテンツを放送する手段と
を有することを特徴とする請求項１０又は請求項１１に記載の番組放送サーバ。
【請求項１３】
番組自動放送システムであって、
番組シナリオ制作部と、前記番組シナリオ制作部とネットワークを介して接続された第１の複数の端末と、第２の複数の端末とを有し、
前記第１の複数の端末の各々は、
コンテンツ提供者が提供するコンテンツのコンテンツデータと、前記コンテンツの内容を特定するのに必要な情報を含むメタデータとが記憶された記憶手段と、
前記番組制作部とデータの送受信を行なう送受信手段と
を有し、
前記番組シナリオ制作部は、
各端末の記憶部に記憶されているメタデータを収集する収集手段と、
前記収集部で収集したメタデータと、その収集先の端末を識別する端末識別情報とが蓄積される蓄積手段と、
番組のシナリオが記述された番組シナリオが記憶された記憶手段と、
前記番組シナリオの内容に適するメタデータを前記蓄積手段から検索し、そのメタデータに対応する端末識別情報を、前記番組シナリオに記載する番組シナリオ制作手段と、
前記端末識別情報が記載された番組シナリオを、前記第２の複数の端末に送信する手段と
を有し、
前記第２の複数の端末の各々は、
前記番組シナリオ制作部からの番組シナリオを受信し、この番組シナリオに記載されている端末識別情報に基づいて、その端末からコンテンツデータをダウンロードし、このコンテンツデータのコンテンツを表示する手段を
有することを特徴とする自動番組放送システム。
【請求項１４】
番組シナリオ制作サーバであって、
コンテンツの内容を特定するのに必要な情報を含むメタデータと、このメタデータの格納先とが蓄積される蓄積手段と、
ネットワークで接続された端末に格納されているメタデータを収集し、この収集したメタデータとその端末を識別する端末識別情報とを前記蓄積手段に蓄積する収集手段と、
番組のシナリオが記述された番組シナリオが記憶された記憶手段と、
番組シナリオの内容に適したメタデータを前記蓄積手段から検索し、そのメタデータに対応する端末識別情報を、前記番組シナリオに記載する番組シナリオ制作手段と、
前記端末識別情報が記載された番組シナリオを、ネットワークで接続された端末に送信する手段と
を有することを特徴とする番組シナリオ制作サーバ。
【発明の詳細な説明】
【０００１】
【発明が属する技術分野】
本発明は自動的に番組を制作、放送する番組自動制作システム、番組自動放送システム及びそれに用いられるサーバに関し、特にコンテンツ提供者に予めコンテンツとこのコンテンツのメタデータを端末に格納してもらい、番組制作側でそのメタデータを収集し、このメタデータに基づいて番組を自動的に制作・放送する技術に関する。
【０００２】
【従来の技術】
近年、デジタル放送が普及しつつある。このデジタル放送では、放送する番組のコンテンツをデジタルデータで記憶し、放送することが可能である。
【０００３】
現在、放送の番組制作においては、番組を構成するコンテンツを、エディタを用いて組み合わせ、番組として送出可能な形にしている。このエディタは、人手により操作されて、コンテンツを組み合わせるものである。
【０００４】
例えば、直接取材に行ったり、投稿ビデオとして記録されたメディアを送付してもらったりして、番組制作者は、番組シナリオに従って番組を制作していた。
【０００５】
【発明が解決しようとする課題】
しかしながら、現状では、上述したように人手を介した作業により番組を形成しているため、多くの時間と労力とを必要とし、大量の番組を制作するという要求に適したものではなかった。
【０００６】
また、収録や、投稿されてくるメディアのやりとりの手間もかかり、そのメディアの保管場所等の問題もある。
【０００７】
そこで、本発明は上記問題点に鑑みて発明されたものであって、その目的は、コンテンツ提供者の端末に格納されているメタデータを番組制作側で収集し、このメタデータの中から番組の内容に適したメタデータを検索し、このメタデータのコンテンツを端末からダウンロードして、番組制作に用いることにより、時間と労力とを軽減し、さらに大量の番組を制作可能とする技術を提供することにある。
【０００８】
【課題を解決するための手段】
上記目的を達成する第１の発明は、番組自動制作システムであって、
番組制作部と、前記番組制作部とネットワークを介して接続された複数の端末とを有し、
複数の端末の各々は、
コンテンツ提供者が提供するコンテンツのコンテンツデータと、前記コンテンツの内容を特定するのに必要な情報を含むメタデータとが記憶された記憶手段と、
前記番組制作部とデータの送受信を行なう送受信手段と
を有し、
前記番組制作部は、
各端末の記憶部に記憶されているメタデータを収集する収集手段と、
前記収集部で収集したメタデータと、その収集先の端末を識別する端末識別情報とが蓄積される蓄積手段と、
番組のシナリオが記述された番組シナリオが記憶された記憶手段と、
前記番組シナリオの内容に適するメタデータを前記蓄積手段から検索し、そのメタデータに対応する端末識別情報に基づいて、その端末からコンテンツデータをダウンロードして番組を制作する番組制作手段と
を有することを特徴とする。
【０００９】
上記目的を達成する第２の発明は、上記第１の発明において、番組制作部は、コンテンツデータの内容を考査する考査手段を有し、考査されたコンテンツデータにより、番組を制作することを特徴とする。
【００１０】
上記目的を達成する第３の発明は、上記第１、２の発明において、番組制作手段は、
コンテンツデータが格納される記憶手段と、
前記番組シナリオの内容に適するメタデータを前記蓄積手段から検索し、そのメタデータに対応する端末識別情報に基づいて、その端末からコンテンツデータをダウンロードして前記記憶手段に格納し、そのコンテンツの格納場所を、前記番組シナリオに記述する手段と
を有することを特徴とする。
【００１１】
上記目的を達成する第４の発明は、番組自動放送システムであって、
番組放送部と、前記番組放送部とネットワークを介して接続された複数の端末とを有し、
複数の端末の各々は、
コンテンツ提供者が提供するコンテンツのコンテンツデータと、前記コンテンツの内容を特定するのに必要な情報を含むメタデータとが記憶された記憶手段と、
前記番組制作部とデータの送受信を行なう送受信手段と
を有し、
前記番組放送部は、
各端末の記憶部に記憶されているメタデータを収集する収集手段と、
前記収集部で収集したメタデータと、その収集先の端末を識別する端末識別情報とが蓄積される蓄積手段と、
番組のシナリオが記述された番組シナリオが記憶された記憶手段と、
番組シナリオの内容に適したメタデータを前記蓄積手段から検索し、そのメタデータに対応する端末識別情報に基づいて、端末からコンテンツデータをダウンロードし、このコンテンツデータのコンテンツを番組として放送する番組放送手段と
を有することを特徴とする。
【００１２】
上記目的を達成する第５の発明は、上記第４の発明において、番組放送部は、コンテンツデータの内容を考査する考査手段を有し、考査されたコンテンツデータを放送することを特徴とする。
【００１３】
上記目的を達成する第６の発明は、上記第４、５の発明において、番組放送手段は、
前記番組シナリオの内容に適するメタデータを前記蓄積手段から検索し、そのメタデータに対応する端末識別情報を、前記番組シナリオに記述する手段と、
前記番組シナリオに記載された端末識別情報に基づいて、その端末からコンテンツデータをダウンロードし、このダウンロードしたコンテンツを放送する手段と
を有することを特徴とする。
【００１４】
上記目的を達成する第７の発明は、番組制作サーバであって、
コンテンツの内容を特定するのに必要な情報を含むメタデータと、このメタデータの格納先とが蓄積される蓄積手段と、
ネットワークで接続された端末に格納されているメタデータを収集し、この収集したメタデータとその端末を識別する端末識別情報とを前記蓄積手段に蓄積する収集手段と、
番組のシナリオが記述された番組シナリオが記憶された記憶手段と、
番組シナリオの内容に適したメタデータを前記蓄積手段から検索し、そのメタデータに対応する端末識別情報に基づいて、その端末からコンテンツデータをダウンロードして番組を制作する番組制作手段と
を有することを特徴とする。
【００１５】
上記目的を達成する第８の発明は、上記第７の発明において、コンテンツデータの内容を考査する考査手段を更に有し、考査されたコンテンツデータにより、番組を制作することを特徴とする。
【００１６】
上記目的を達成する第９の発明は、上記第７，８の発明において、前記番組制作手段は、
コンテンツデータが格納される記憶手段と、
前記番組シナリオの内容に適するメタデータを前記蓄積手段から検索し、そのメタデータに対応する端末識別情報に基づいて、その端末からコンテンツデータをダウンロードして前記記憶手段に格納し、そのコンテンツの格納場所を前記番組シナリオに記述する手段と
を有することを特徴とする。
【００１７】
上記目的を達成する第１０の発明は、番組放送サーバであって、
コンテンツの内容を特定するのに必要な情報を含むメタデータと、このメタデータの格納先とが蓄積される記憶手段と、
ネットワークで接続された端末に格納されているメタデータを収集し、この収集したメタデータとその格納先の端末を識別する端末識別情報とを前記蓄積手段に蓄積する収集手段と、
番組のシナリオが記述された番組シナリオが記憶された記憶手段と、
番組シナリオの内容に合致したメタデータを前記蓄積手段から検索し、そのメタデータに対応する端末識別情報に基づいて、その端末からコンテンツデータをダウンロードし、このコンテンツデータのコンテンツを番組として放送する番組放送手段と
を有することを特徴とする。
【００１８】
上記目的を達成する第１１の発明は、上記第１０の発明において、コンテンツデータの内容を考査し、不適切な部分を除去する考査手段を有し、考査されたコンテンツデータを放送することを特徴とする。
【００１９】
上記目的を達成する第１２の発明は、上記第１０、１１の発明において、番組放送手段は、
前記番組シナリオの内容に適するメタデータを前記蓄積手段から検索し、そのメタデータに対応する端末識別情報を、前記番組シナリオに記述する手段と、
前記番組シナリオに記載された端末識別情報に基づいて、その端末からコンテンツデータをダウンロードし、このダウンロードしたコンテンツを放送する手段と
を有することを特徴とする。
【００２０】
上記目的を達成する第１３の発明は、番組自動放送システムであって、
番組シナリオ制作部と、前記番組シナリオ制作部とネットワークを介して接続された第１の複数の端末と、第２の複数の端末とを有し、
前記第１の複数の端末の各々は、
コンテンツ提供者が提供するコンテンツのコンテンツデータと、前記コンテンツの内容を特定するのに必要な情報を含むメタデータとが記憶された記憶手段と、
前記番組制作部とデータの送受信を行なう送受信手段と
を有し、
前記番組シナリオ制作部は、
各端末の記憶部に記憶されているメタデータを収集する収集手段と、
前記収集部で収集したメタデータと、その収集先の端末を識別する端末識別情報とが蓄積される蓄積手段と、
番組のシナリオが記述された番組シナリオが記憶された記憶手段と、
前記番組シナリオの内容に適するメタデータを前記蓄積手段から検索し、そのメタデータに対応する端末識別情報を、前記番組シナリオに記載する番組シナリオ制作手段と、
前記端末識別情報が記載された番組シナリオを、前記第２の複数の端末に送信する手段と
を有し、
前記第２の複数の端末の各々は、
前記番組シナリオ制作部からの番組シナリオを受信し、この番組シナリオに記載されている端末識別情報に基づいて、その端末からコンテンツデータをダウンロードし、このコンテンツデータのコンテンツを表示する手段を
有することを特徴とする。
【００２１】
上記目的を達成する第１４の発明は、番組シナリオ制作サーバであって、
コンテンツの内容を特定するのに必要な情報を含むメタデータと、このメタデータの格納先とが蓄積される蓄積手段と、
ネットワークで接続された端末に格納されているメタデータを収集し、この収集したメタデータとその端末を識別する端末識別情報とを前記蓄積手段に蓄積する収集手段と、
番組のシナリオが記述された番組シナリオが記憶された記憶手段と、
番組シナリオの内容に適したメタデータを前記蓄積手段から検索し、そのメタデータに対応する端末識別情報を、前記番組シナリオに記載する番組シナリオ制作手段と、
前記端末識別情報が記載された番組シナリオを、ネットワークで接続された端末に送信する手段と
を有することを特徴とする。
【００２２】
【発明の実施の形態】
本発明の第１の実施の形態を説明する。
【００２３】
図１は第１の実施の形態における概念図である。
【００２４】
図１中、１はコンテンツ提供者の端末であり、２は端末１に記憶されたコンテンツデータであり、３は端末１に記憶されたコンテンツに関するメタデータであり、４は放送局であり、５はコンテンツ提供者宅１と放送局４とが接続されているネットワークである。
【００２５】
ここで、コンテンツ提供者は、個人ばかりでなく、コンテンツ提供を本業とするコンテンツアーカイブも含む概念である。
【００２６】
また、コンテンツとは、ビデオカメラで撮影された映像のみならず、パソコン等を用いて作成した映像も含む概念である。
【００２７】
更に、メタデータ３とは、コンテンツに関する情報が記述されたものであり、コンテンツの収録日や、著作権に関する情報、データサイズ、データの記録方法等である。本実施の形態では、メタデータの項目として、コンテンツの著作権の保有者の住所及び氏名、コンテンツの収録日、データの記録方法、収録内容（キーワード）を例にして説明する。図２は、そのメタデータの一例を示した図であり、著作権の保有者の住所には“東京都○区×”が、氏名には“特許  太郎”が、コンテンツの収録日には“２００３／４／５”が、データの記録方法には“ＭＰＥＧ２”が、収録内容（キーワード）には“東名高速道路、事故、乗用車、トラック”が、それぞれ記載されている。尚、メタデータの様式は統一されており、各端末には同じ様式に基づいたメタデータが格納されている。
【００２８】
次に、端末１について説明する。
【００２９】
図３は端末１のブロック図である。
【００３０】
図３に示される如く、端末１は、コンテンツデータ２及びメタデータ３が記憶された記憶部１１と、データの送受信を行なう送受信部１２と、外部からの要求に応答して記憶部１１及び送受信部１２を制御する制御部１３とを有している。
【００３１】
記憶部１１は、ハードディスク等であって、コンテンツ提供者によって制作されたコンテンツデータ２や、コンテンツ提供者によって作成されたコンテンツのメタデータ３が記憶される。
【００３２】
制御部１３は、放送局３からのメタデータ３の検索要求や、コンテンツデータ２の送信要求に応答して、記憶部１１に記憶されているメタデータ３やコンテンツデータ２を、送受信部１２を介して送信する。
【００３３】
放送局４について説明する。
【００３４】
図４は放送局４のブロック図である。
【００３５】
図４に示される如く、放送局４は、送受信部４１と、検索エンジン４２と、メタデータ蓄積部４３と、マッチングエージェント部４４と、番組シナリオ記憶部４５と、番組記憶部４６とを有する。
【００３６】
検索エンジン４２は、定期的に、各端末を巡回してメタデータ３を収集し、収集したメタデータをメタデータ蓄積部４３に蓄積する。この際、収集したメタデータが格納されていた端末を識別する為の端末識別情報も、メタデータ３と対応付けて記憶する。端末識別情報は、ドメイン名やＩＰアドレス等、ネットワーク上において端末を識別するものであれば良い。
【００３７】
メタデータ蓄積部４３に蓄積されるメタデータと識別情報との一例を、図５に示す。図５には、メタデータＡと端末識別情報“１９２．１６８．１０．１”とが対応付けられて記憶され、メタデータＢと端末識別情報“ｗｗｗ．ｘｘｘ．ｎｅ．ｊｐ”とが対応付けられて記憶されている一例が示されている。尚、メタデータＡは図２に示されるメタデータであり、メタデータＢは図７に示されるメタデータであり、メタデータＣは図８に示されるメタデータである。
【００３８】
番組シナリオ記憶部４５に記憶されている番組シナリオとは、番組のタイトル、番組の放送日、そして、放送される内容及びキーワードが時間と共に時系列的に記載されている。図６に、番組“ＹＹＹ”、放送日２００３年４月１０日の番組シナリオを示す。この番組シナリオによれば、番組“ＹＹＹ”は、１６：００：００のオープニングに始まり、１６：０１：３０からＣＭ１及びＣＭ２が放送され、これに続いて、１６：０２：００から事故のニュースの放送、続いて時候ニュースという具合に、その放送内容及びキーワードと放送時間とが記載されている。また、各コンテンツの格納先も、各項目に対応して記載されている。
【００３９】
マッチングエージェント部４４は、番組シナリオ記憶部４５に記憶されている番組シナリオと、メタデータ蓄積部４３に蓄積されているメタデータとを照合し、番組シナリオに記載されている内容に、最も適した内容を持つメタデータを検索する。そして、そのメタデータに対応付けられた端末識別情報も検索し、その端末識別情報で識別される端末１に格納されているコンテンツデータをダウンロードし、番組記憶部４６に記憶する。そして、番組記憶部４６の格納場所を番組シナリオの格納先に記載するように構成されている。
【００４０】
次に、上述の構成における第１の実施の形態の動作を説明する。
【００４１】
まず、検索エンジン４２によるメタデータの収集動作について説明する。
【００４２】
図９は、検索エンジン４２によるメタデータの収集動作のフローチャートである。
【００４３】
検索エンジン４２は、定期的にメタデータの収集動作を開始する（Ｓｔｅｐ  １００）。
【００４４】
検索エンジン４２は、各端末を巡回し（Ｓｔｅｐ  １０１）、端末のメタデータを収得し（Ｓｔｅｐ  １０２）、メタデータを取得した端末の端末識別情報、例えば、ＩＰアドレス等も取得する（Ｓｔｅｐ  １０３）。
【００４５】
そして、取得したメタデータと端末識別情報とを対応付けて、図５に示す如く、メタデータ蓄積部４３に蓄積する（Ｓｔｅｐ  １０４）。
【００４６】
次に、蓄積されたメタデータを用いた番組制作の動作について説明する。
【００４７】
図１０は、蓄積されたメタデータを用いた番組制作の動作を示すフローチャートである。
【００４８】
まず、番組制作開始が指示されると（Ｓｔｅｐ  ２００）、マッチングエージェント部４４は、番組記憶部４５の番組シナリオを参照する（Ｓｔｅｐ  ２０１）。そして、番組シナリオの各内容のうち、格納先が記載されていないものを検索する（Ｓｔｅｐ  ２０２）。格納先が記載されていないものある場合には（Ｓｔｅｐ  ２０３）、その内容のキーワードを参照する（Ｓｔｅｐ  ２０４）。
【００４９】
続いて、マッチングエージェント部４４は、番組シナリオから取得したキーワードを持つメタデータをメタデータ蓄積部４３から検索する（Ｓｔｅｐ  ２０５）。マッチングするものがあれば（Ｓｔｅｐ  ２０６）、そのメタデータに対応する端末識別情報を取得する（Ｓｔｅｐ  ２０７）。一方、マッチングするものがなければ（Ｓｔｅｐ  ２０６）、別の内容又は、他のコンテンツに差換え等の作業を行なう（Ｓｔｅｐ  ２１１）。
【００５０】
マッチングエージェント部４４は、取得した端末識別情報に基づいて、端末１にアクセスし、その端末１からコンテンツデータをダウンロードし（Ｓｔｅｐ  ２０９）、ダウンロードしたコンテンツを番組記憶部４６に格納する（Ｓｔｅｐ２１０）。そして、番組シナリオの格納先に、ダウンロードしたコンテンツを格納した番組記憶部４６のアドレスを記載し（Ｓｔｅｐ  ２１０）、その後、Ｓｔｅｐ  ２０１に戻る。
【００５１】
このようにして、番組シナリオを完成させていく。
【００５２】
例えば、番組シナリオ記憶部４５に記憶されている番組シナリオが、図６に示されるものであり、メタデータ蓄積部４３に蓄積されているメタデータが、図２（図５のメタデータＡに相当）、図７（図５のメタデータＢに相当）及び図８（図５のメタデータＣに相当）に示されるものである場合を考える。
【００５３】
まず、マッチングエージェント部４４は、格納先が記載されていない番組内容を検索し、この場合は、まず、番組シナリオの事故ニュースであり、事故ニュースに合致するメタデータをメタデータ蓄積部４３から検索する。ここで、番組シナリオの事故ニュースのキーワードは、“事故”である。マッチングエージェント部４４は、キーワード“事故”を持つメタデータを検索する。検索されるのは、“事故”のキーワードを持つメタデータＡである。そこで、メタデータＡに対応する端末識別情報“１９２．１６８．１０．１”に基づいて、メタデータＡに対応するコンテンツデータを端末１からダウンロードして番組記憶部４６に格納する。そして、図１１に示す如く、その格納先として“ｄｄｄ１”を番組シナリオの格納先に記載する。尚、格納先“ｄｄｄ１”のうち“ｄｄｄ”は番組記憶部４６を示し、“１”  番組記憶部４６における事故ニュースのコンテンツデータの格納位置を示す。
【００５４】
再び、マッチングエージェント部４４は、格納先が記載されていない番組内容を検索する。そして、番組シナリオの時候ニュースを検索し、時候ニュースに合致するメタデータをメタデータ蓄積部４３から検索する。ここで、番組シナリオの時候ニュースのキーワードは、“潮干狩り”である。マッチングエージェント部４４は、キーワード“潮干狩り”を持つメタデータを検索する。検索されるのは、“潮干狩り”のキーワードを持つメタデータＢである。そこで、メタデータＢに対応する端末識別情報“ｗｗｗ．ｘｘｘ．ｃｏ．ｊｐ”に基づいて、メタデータＢに対応するコンテンツデータを端末１からダウンロードして番組記憶部４６に格納する。そして、図１１に示す如く、その格納先として“ｄｄｄ２”を番組シナリオの格納先に記載する。尚、格納先“ｄｄｄ２”のうち“ｄｄｄ”は番組記憶部４６を示し、“２”  番組記憶部４６における時候ニュースのコンテンツデータの格納位置を示す。
【００５５】
このようにして、自動的に番組が制作されていく。
【００５６】
尚、上述の説明では、メタデータを参照する放送内容を識別するのに、格納先の記載の有無で決定したが、これに限るものでなく、例えば、メタデータを参照する放送内容にフラグを立てて識別するようにしても良い。
【００５７】
第２の実施の形態を説明する。
【００５８】
第１の実施の形態では、マッチングエージェント部４４が、メタデータに基づいて選んだコンテンツデータを、そのまま番組に用いる為に番組記憶部４６に格納した。
【００５９】
しかしながら、コンテンツの中に不適切な言葉等が含まれているものや、時間の関係でコンテンツの長さを調整しなければならないものがあり、コンテンツデータがそのまま番組に使用できるとは限らない。
【００６０】
そこで、第２の実施の形態では、マッチングエージェント部４４がメタデータに基づいて選んだコンテンツに対して、不適切な言葉等をカットしたり、置き換えたり、又は時間の調整を行なうようにしたことを特徴とする。
【００６１】
上記の特徴を達成する為に、第１の実施の形態の構成に加えて、図１２に示される如く、放送局４に要約・考査エンジン部４７を設け、この要約・考査エンジン部４７により、マッチングエージェント部４４が選択したコンテンツを要約・考査させるように構成する。そして、要約・考査終了後、そのコンテンツを番組記憶部４６に格納する。
【００６２】
要約・考査エンジン部４７は、予め、放送禁止用語のデータベース等を有し、コンテンツデータの音声を音声認識ソフトにより認識して、それをデータベースと比較することにより考査する。コンテンツデータに該当する用語等がある場合には、その語を削除、若しくは、データベースに記載されている他の適切な語に置き換える。
【００６３】
また、要約・考査エンジン部４７は、画像認ソフトにより、意味のない画面等を削除し、コンテンツの時間を短縮することも行なう。
【００６４】
これらの機能により、提供されたコンテンツを単にそのまま使用するよりも、より適切なコンテンツを放送することができる。
【００６５】
第３の実施の形態を説明する。
【００６６】
第１及び第２の実施の形態では、マッチングエージェント部４４がメタデータに基づいて選んだコンテンツを、一旦、コンテンツを番組記録部４６に格納し、その後に、番組シナリオに基づいて放送するような構成とした。これに対して、第３の実施の形態では、リアルタイム性を重視し、コンテンツを蓄積することなく、そのまま放送することを特徴とする。
【００６７】
上記特徴を達成する為に、図１３に示す如く、コンテンツ配信部４８とスイッチャ４９とを設ける。更に、番組シナリオ記憶部４５の番組シナリオには、コンテンツの格納先として、放送局外のコンテンツの格納先である端末識別情報も記載できるように構成する。
【００６８】
このように構成された動作を説明すると、マッチングエージェント部４４は、番組シナリオ記憶部４５に記憶されている番組シナリオと、メタデータ蓄積部４３に蓄積されているメタデータとを照合し、番組シナリオに記載されている内容に、最も適した内容を持つメタデータを検索し、そのメタデータに対応付けられた端末識別情報を検索する。そして、この端末識別情報を、図１４に示す如く、番組シナリオの格納先に記載する。
【００６９】
放送が開始されると、コンテンツ配信部４８は、番組シナリオ記憶部４５の番組シナリオを参照して、格納先に記載されている端末識別情報に基づいて、端末からコンテンツをダウンロードし、スイッチ４９に送信する。
【００７０】
スイッチャ４９では、番組シナリオ記憶部４５に記憶されている番組シナリオのスケジュールに基づいて、番組データ記憶部４６に記憶されているコンテンツを放送する場合には番組データ記憶部４６側に切り替え、コンテンツ配信部４８からのコンテンツ放送する場合にはコンテンツ配信部４８に切り替える。そして、入力されたコンテンツを送受信部４１に出力する。
【００７１】
このように構成することにより、全てのコンテンツを放送局側で蓄積する必要がなくなり、特にリアルタイム性が要求されるコンテンツなどには特に有効な放送ができる。
【００７２】
第４の実施の形態を説明する。
【００７３】
第１から第３の実施の形態では、収集したメタデータから番組内容に適したコンテンツを選択し、選択したコンテンツの格納先又は参照先を番組シナリオに記載することにより、番組シナリオを完成させた。そして、この番組シナリオに基づいて、放送を行なった。
【００７４】
しかしながら、現在のパソコンに代表される情報処理装置では、コンテンツの格納先又は参照先がわかれば、そこの場所からコンテンツをダウンロードして表示させることも可能である。
【００７５】
そこで、第４の実施の形態では、完成した番組シナリオを端末に配信し、端末は番組シナリオに基づいて番組を構成して表示させることを特徴とする。
【００７６】
上記特徴を達成する為に、完成した番組シナリオが配信される端末５０は、図１５に示す如く、データの送受信を行なう送受信部５１と、番組シナリオに基づいて番組を構成する番組構成部５２と、番組シナリオが格納される記憶部５３と、番組が表示される表示部５４とを有している。
【００７７】
また、放送局４は、図１６は、番組シナリオを、予め決められた端末５０に配信する番組シナリオ配信部６０を更に有している。尚、第１から第３の実施の形態と同様なものについては、同じ符号を付して説明は省略する。
【００７８】
次に、上記のような構成における動作を説明する。
【００７９】
尚、検索エンジン４２によるメタデータの収集は、第１の実施の形態と同様であるので、説明は省略する。
【００８０】
まず、番組シナリオの制作開始が指示されると、マッチングエージェント部４４が、番組シナリオの内容にあったメタデータを検索することは、第１の実施の形態と同様である。
【００８１】
異なるのは、マッチングエージェント部４４が番組シナリオの内容にあったメタデータをみつけると、このメタデータに対応した端末識別情報に基づいてコンテンツを端末１からダウンロードせずに、番組シナリオの格納先に端末識別情報のみを記載することである。そして、番組シナリオ配信部６０は、予め決められた端末５０に、番組シナリオ記憶部４５の番組シナリオを配信部する。
【００８２】
端末５０では、番組構成部５２が、データ送受信部５１を介して受信した番組シナリオを、一旦記憶部５３に格納する。その後、番組構成部５２は、番組シナリオのスケジュール（時間）に沿って、番組シナリオの格納先を順次読み出して、そこに記載された端末識別情報、例えば、ＩＰアドレスや、ドメイン名により、コンテンツが格納されている端末１を識別し、その端末１からコンテンツをダウンロードする。そして、ダウンロードしたコンテンツを表示部５４に表示することにより、番組を完成させていく。
【００８３】
このようにすることにより、放送局は最低限の施設で番組を提供することが可能となる。
【００８４】
【発明の効果】
本発明は、コンテンツ提供者の端末に格納されているメタデータを番組制作側で収集し、このメタデータの中から番組の内容に適したメタデータを検索し、このメタデータのコンテンツを端末からダウンロードして、番組制作に用いるように構成したので、時間と労力とを軽減して、大量の番組を制作可能という優れた効果を有する。
【００８５】
また、コンテンツが記憶されたテープ等のメディアの移動がないので、このメディアを保管する保管場所等を用意する必要がない。
【図面の簡単な説明】
【図１】図１は第１の実施の形態における概念図である。
【図２】図２はメタデータの一例を示した図である。
【図３】図３は端末１のブロック図である。
【図４】図４は放送局４のブロック図である。
【図５】メタデータ蓄積部４３に蓄積されるメタデータと識別情報との一例を示した図である。
【図６】図６は番組シナリオの一例を示した図である。
【図７】図７はメタデータの一例を示した図である。
【図８】図８はメタデータの一例を示した図である。
【図９】図９は検索エンジン４２によるメタデータの収集動作のフローチャートである。
【図１０】図１０は蓄積されたメタデータを用いた番組制作の動作を示すフローチャートである。
【図１１】図１１は番組シナリオの一例を示す図である。
【図１２】図１２は第２の実施の形態のブロック図である。
【図１３】図１３は第３の実施の形態のブロック図である。
【図１４】図１４は番組シナリオの一例を示す図である。
【図１５】図１５は第４の実施の形態における端末のブロック図である。
【図１６】図１６は第４の実施の形態における放送局のブロック図である。
【符号の説明】
１          端末
２          コンテンツデータ
３          メタデータ
４          放送局
５          ネットワーク
【図１】
2004343557.tif 000003
【図２】
2004343557.tif 000004
【図３】
2004343557.tif 000005
【図４】
2004343557.tif 000006
【図５】
2004343557.tif 000007
【図６】
2004343557.tif 000008
【図７】
2004343557.tif 000009
【図８】
2004343557.tif 000010
【図９】
2004343557.tif 000011
【図１０】
2004343557.tif 000012
【図１１】
2004343557.tif 000013
【図１２】
2004343557.tif 000014
【図１３】
2004343557.tif 000015
【図１４】
2004343557.tif 000016
【図１５】
2004343557.tif 000017
【図１６】
2004343557.tif 000018